(57)【特許請求の範囲】
【請求項１】
下面に開口部を有する吸口本体と、前記開口部と連通する回転清掃体収納室と、該回転清掃体収納室に配置された回転清掃体と、該回転清掃体を駆動する駆動手段と、前記回転清掃体の何れか一方に設けられ該回転清掃体を回転自在に支持する清掃体軸受と、前記回転清掃体の他方端部に設けられる従動継手と、該従動継手と係合して前記駆動手段の駆動力を前記回転清掃体に伝達する主動継手と、該主動継手に前記駆動手段の駆動力を伝達するプーリと、該プーリを軸支する軸受と、前記プーリ及び軸受を収納するプーリ収納部とを有し、
前記駆動手段は前記吸口本体の中央底部に設けられ、
前記吸口本体の上面部かつ前記吸口本体の中央部よりも前記プーリ収納部側に設けられた吸気口と、該吸気口と前記プーリ収納部とを連通する第一の連通路と、前記プーリ収納部と前記回転清掃体収納室とを連通する第二の連通部を設けたことを特徴とする電気掃除機の吸口体。
【請求項２】
請求項１において、
前記第一の連通路の前記プーリ収納部側に複数の通風孔を設け、該複数の通風孔は前記プーリの上方に配置したことを特徴とする電気掃除機の吸口体。
【請求項３】
集塵部及び電動送風機を有する掃除機本体と、該掃除機本体に接続されたホースと、該ホースに接続された手元操作部と、該手元操作部に接続された延長管と、該延長管に接続された吸口体とを備え、
前記吸口体は、
下面に開口部を有する吸口本体と、前記開口部と連通する回転清掃体収納室と、該回転清掃体収納室に配置された回転清掃体と、該回転清掃体を駆動する駆動手段と、前記回転清掃体の何れか一方に設けられ該回転清掃体を回転自在に支持する清掃体軸受と、前記回転清掃体の他方端部に設けられる従動継手と、該従動継手と係合して前記駆動手段の駆動力を前記回転清掃体に伝達する主動継手と、該主動継手に前記駆動手段の駆動力を伝達するプーリと、該プーリを軸支する軸受と、前記プーリ及び軸受を収納するプーリ収納部とを有し、
前記駆動手段は前記吸口本体の中央底部に設けられ、
前記吸口本体の上面部かつ前記吸口本体の中央部よりも前記プーリ収納部側に設けられた吸気口と、該吸気口と前記プーリ収納部とを連通する第一の連通路と、前記プーリ収納部と前記回転清掃体収納室とを連通する第二の連通部を設けたことを特徴とする電気掃除機。
【発明の詳細な説明】
【技術分野】
【０００１】
本発明は電気掃除機に関するものである。
【背景技術】
【０００２】
従来の電気掃除機の吸口体として、例えば特許文献１（特開平７−３９４９２号公報）がある。
【０００３】
吸込口本体内の回転清掃体収納室に回転清掃体（回転清掃体）を配置し、この回転清掃体の一方側に回転清掃体を軸支する軸受組部品を設け、他方側に従動軸継手を設けている。従動軸継手は電動機の駆動力を伝達するギヤー継手と嵌合し、電動機の駆動力を回転清掃体に伝達している。吸込口本体の下ケースにはギヤー継手の軸を支持する軸受を保持する軸受けガイドが設けられている。
【０００４】
この軸受けガイドには、その上面、及び側面に冷却用の穴が形成され、軸受けを冷却するようにしている。側面の冷却用の穴は吸込口本体の側面と連通し、吸込口本体の側面から外部の空気が流入するようにしている。
【０００５】
【特許文献１】特開平７−３９４９２号公報（００２４，図３，図８，図９参照）
【発明の開示】
【発明が解決しようとする課題】
【０００６】
しかしながら、上記特許文献１では、側面の冷却用の穴が吸込口本体の側面と連通し、吸込口本体の側面から外部の空気が流入するようにしているので、掃除中において吸込口本体を前後方向に移動させると、被掃除面上の塵埃が舞い上がり、この舞い上がった塵埃が側面の冷却用の穴から空気と共に吸込口本体側に吸込まれる。
【０００７】
このため、空気と共に吸込まれた塵埃が軸受に入り込み、軸受の摺動が悪くなり、回転清掃体の回転力が低下し被掃除面の塵埃の掻きあげ力が低下するといった欠点があった。また、軸受に塵埃が入り込み塵埃の堆積量が多くなると、軸受が回転不能となる虞もある。
【０００８】
本発明の目的は、上記課題を解決するためになされたものであり、軸受への塵埃の進入を抑制しつつ軸受の冷却を行うことのできる電気掃除機の吸口体及びこれを備えた電気掃除機を提供することにある。
【課題を解決するための手段】
【０００９】
上記目的を達成するために本発明の特徴とするところは、下面に開口部を有する吸口本体と、前記開口部と連通する回転清掃体収納室と、該回転清掃体収納室に配置された回転清掃体と、該回転清掃体を駆動する駆動手段と、前記回転清掃体の何れか一方に設けられ該回転清掃体を回転自在に支持する清掃体軸受と、前記回転清掃体の他方端部に設けられ従動継手と、該従動継手と係合して前記駆動手段の駆動力を前記回転清掃体に伝達する主動継手と、該主動継手に前記駆動手段の駆動力を伝達するプーリと、該プーリを軸支する軸受と、前記プーリ及び軸受を収納するプーリ収納部とを有し、
前記吸口本体の上面部に設けられた吸気口と、該吸気口と前記プーリ収納部とを連通する第一の連通路と、前記プーリ収納部と前記回転清掃体収納室とを連通する第二の連通部を設けた電気掃除機の吸口体にある。
【００１０】
また、本発明の特徴とするところは、集塵部及び電動送風機を有する掃除機本体と、該掃除機本体に接続されたホースと、該ホースに接続された手元操作部と、該手元操作部に接続された延長管と、該延長管に接続された吸口体とを備え、前記吸口体は、下面に開口部を有する吸口本体と、前記開口部と連通する回転清掃体収納室と、該回転清掃体収納室に配置された回転清掃体と、該回転清掃体を駆動する駆動手段と、前記回転清掃体の何れか一方に設けられ該回転清掃体を回転自在に支持する清掃体軸受と、前記回転清掃体の他方端部に設けられ従動継手と、該従動継手と係合して前記駆動手段の駆動力を前記回転清掃体に伝達する主動継手と、該主動継手に前記駆動手段の駆動力を伝達するプーリと、該プーリを軸支する軸受と、前記プーリ及び軸受を収納するプーリ収納部とを有し、前記吸口本体の上面部に設けられた吸気口と、該吸気口と前記プーリ収納部とを連通する第一の連通路と、前記プーリ収納部と前記回転清掃体収納室とを連通する第二の連通部を設けた電気掃除機にある。
【発明の効果】
【００１１】
本発明によれば、吸口本体の上面部に設けられた吸気口と、この吸気口とプーリ収納部とを連通する第一の連通路と、プーリ収納部と回転清掃体収納室とを連通する第二の連通部を設けるようにしたので、塵埃の含有が少ない吸口本体上方の空気によって軸受への塵埃の進入を抑制しつつ、プーリ収納部に収納された軸受を冷却することができる電気掃除機の吸口体及びこれを備えた電気掃除機を提供することができる。
【発明を実施するための最良の形態】
【００１２】
以下、本発明に係る実施例を添付の図面を用いて説明する。図８は本発明の一実施例に係る電気掃除機の全体外観図である。
【００１３】
３０４は集塵部及び電動送風機を収容する掃除機本体、３０５は掃除機本体３０４の前部に接続され集塵部と連通するホース継手、３０３はホース継手３０５に回動可能に接続されたホースである。ホース３０５の一端はホース継手３０５を介して掃除機本体３０４に接続され、集塵部と連通している。３０６は一端がホース３０３の他端に回動可能に接続され、掃除機の運転の入切を行うスイッチ手段を有する手元操作部、３０２は一端が手元操作部３０６の他端に接続された伸縮可能な延長管、３０１は延長管３０２の他端に接続され掃除面の塵埃を吸込む吸口体である。
【００１４】
掃除機は掃除機本体３０４に収容された電動送風機で発生した吸引力により、延長管３０２，ホース３０３を介して吸口体３０１の下面から吸込んだ被清掃面の塵埃を集塵部内に搬送するようにしている。
【００１５】
次に図４及び図５を用いて本実施例の吸口体３０１の構造について説明する。図４は本発明の一実施例に係る吸口体３０１の分解斜視図であり、図５は本発明の一実施例に係る吸口体３０１の底面斜視図及び部分拡大図である。
【００１６】
図４及び図５において、吸口体３０１は下面に開口部１０１を有する下ケース２０６と、この下ケース２０６の上方に被着された上ケース２０５を有し、下ケース２０６と上ケース２０５とにより吸口本体２００を形成している。
【００１７】
吸口本体２００の後方には、左右（幅）方向の中央部に位置して自在継手部７０１が設けられている。この自在継手部７０１は、一端が吸口本体２００に回動可能に接続され、被掃除面に対して略水平な状態から略垂直な状態まで回動可能な下腕部７０２と、一端が下腕部７０２の他端に回動可能に接続され、吸口本体２００に対し左右方向に回動可能な上腕部７０３を有する。上腕部７０３の他端には延長管３０２が接続される。この自在継手部７０１は、延長管３０２を被掃除面に対して略垂直とした状態において、その延長管３０２を吸口本体２００の左右方向に向かって倒すことができる機能を有している。このため、手元操作部３０６左右方向の何れかに捻ることで、吸口本体２００を左右方向の何れかに略９０度回転させ、吸口本体２００の左右方向を移動方向にした掃除が可能であり、壁際に沿って吸口体３０１を移動させたり、狭い隙間に吸口体３０１を挿入して掃除することが可能となっている。
【００１８】
吸口本体２００には回転清掃体２０１を収納する回転清掃体収納室１０２が形成されており、下ケース２０６の開口部１０１と連通している。また、この回転清掃体収納室１０２は自在継手部７０１を介して延長管３０２と連通している。回転清掃体収納室１０２には外周に螺旋状の刷毛やブレードを備えた回転清掃体２０１が収納されている。回転清掃体２０１の一端には回転清掃体２０１を回転自在に軸支する清掃体軸受２０４が設けられており、この清掃体軸受２０４の外周は下ケース２０６に保持されている。回転清掃体２０１の他端には従動継手２０３が設けられている。この従動継手２０３は後述する主動継手２０２と接続され、電動機８０１の駆動力が主動継手２０２を介して回転清掃体２０１に伝達される。
【００１９】
回転清掃体２０１の着脱方法について、図２及び図３を用いて説明する。図２は本発明の一実施例に係る吸口体３０１の底面斜視図であり、図３は主動継手２０２と従動継手２０３の関係を示す図である。
【００２０】
２０８は清掃体軸受２０４を覆う軸受カバーであり、レバー２１０を外側に向かって引っ張ることにより係合部が外れ、軸受カバー２０８が吸口本体２００から取り外せるようになっている。軸受カバー２０８を吸口本体２００から取り外すと、清掃体軸受２０４の下方が開放され、下ケース２０６に形成された凹部１０３から清掃体軸受２０４を取り外す。回転清掃体２０１の従動継手２０３には複数の凸部２０３ａと凹部２０３ｂが形成され、主動継手２０２には複数の凸部２０２ａと凹部２０２ｂが形成されている。そして、従動継手２０３の凸部２０３ａは主動継手２０２の凹部２０２ｂと係合し、従動継手２０３の凹部２０２ｂは主動継手２０２の凸部と係合し、主動継手２０２と従動継手２０３が接続されている。清掃体軸受２０４を凹部１０３から取り外すと、主動継手２０２と従動継手２０３の係合が外れ、回転清掃体２０１を吸口体３０１から取り外すことができる。
【００２１】
図４に戻り、吸口本体２００の中央底部には、回転清掃体２０１を回転させる駆動力を発生する駆動手段としての電動機８０１が設けられている。回転清掃体収納室１０２の後方にはシャフト４０１が設けられており、電動機８０１の駆動力をベルト４０２を介してシャフト４０１に伝達している。シャフト４０１の駆動力はベルト８０２を介してプーリ８０３に伝達される。プーリ８０３はその両側を軸受６０３，６０４で軸支されている。プーリ８０３と軸受６０３，６０４はプーリ収納部６０６に収納されている。本実施例では主動継手２０２，プーリ８０３、及び軸受６０３，６０４で駆動力伝達機構部６００を構成している。
【００２２】
次に駆動力伝達機構部６００の構成について、図６及び図７を用いて説明する。図６は本発明の一実施例に係る駆動力伝達機構部６００の斜視図であり、図７は図６におけるＡ−Ａ断面図である。
【００２３】
図６及び図７において、プーリ８０３は歯車状に形成され、この部分にベルト８０２が架けられる。プーリ８０３の両側には軸受６０３，６０４が配置されている。また、プーリ８０３の隣には軸受６０４を挟んで主動継手２０２が設けられている。軸受６０３から主動継手２０２には、軸受６０３，プーリ８０３，軸受６０４，主動継手２０２を繋ぐように金属軸６０１が設けられている。軸受６０３，６０４にはそれぞれオイルメタル６０３ａ，６０４ａと、その外周に配置された保持部６０３ｂ，６０４ｂとが設けられており、このオイルメタル６０３ａ，６０４ａの外周と保持部６０３ｂ，６０４ｂとの内周との間でオイルメタル６０３ａ，６０４ａが保持部６０３ｂ，６０４ｂに回動自在に保持されている。オイルメタル６０３ａ，６０４ａには軸６０１が固定されている。また、軸６０１にはプーリ８０３と主動継手２０２とが固定されている。軸受６０３とプーリ８０３，軸受６０４とプーリ８０３との間、及び軸受６０４と主動継手２０２との間には、摺動性を有するポリスライダワッシャ６０５（６０５ａ，６０５ｂ，６０５ｃ）が配置されている。以上の構成において、プーリ８０３に伝えられた電動機８０１の駆動力は、軸６０１を介して主動継手２０２に伝達される。
【００２４】
以上の構成において、電動機８０１を回転させるとの駆動力は、ベルト４０２，シャフト４０１，ベルト８０２と伝達され、プーリ８０３に伝達される。そして、プーリ８０３が回転すると、ポリスライダワッシャ６０５ａと、オイルメタル６０３ａ、オイルメタル６０４ａとポリスライダワッシャ６０５ｂとの接触面、及びポリスライダワッシャ６０５（６０５ａ，６０５ｂ，６０５ｃ）と金属軸６０１との間で摩擦熱が発生する。
【００２５】
摩擦熱により温度が上昇すると、発生した熱は熱伝導率の高い金属軸６０１に集中する。軸６０１に固定されたプーリ８０３は樹脂で構成されているので、金属軸６０１と接しているプーリ８０３の樹脂部分が熱による歪が発生し、金属軸６０１が空回りを起こす可能性があった。金属軸６０１が空回りを起こすと、電動機８０１の駆動力が回転清掃体２０１に伝達されなくなり、清掃性が低下する。従来、軸受を保持する部分に冷却用の穴を開けることが提案されているが、冷却用の穴の形成位置については全く考慮されていなかった。従来のものは、外部から空気を取り入れる冷却用の穴を吸口体の側面に形成していた。このため、掃除中において吸込口本体を前後方向に移動させると、被掃除面上の塵埃が舞い上がり、この舞い上がった塵埃が側面の冷却用の穴から空気と共に吸込口本体側に吸込まれる。そして、空気と共に吸込まれた塵埃が軸受に入り込み、軸受の摺動が悪くなり、回転清掃体の回転力が低下し被掃除面の塵埃の掻きあげ力が低下するといった欠点があった。また、軸受に塵埃が入り込み塵埃の堆積量が多くなると、軸受が回転不能となる虞もある。
【００２６】
これを防止する構造について、図１を用いて説明する。図１は本発明の一実施例に係る吸口体３０１の外観斜視図及び部分拡大図である。
【００２７】
図１において、吸口本体２００の上ケース２０５の上面部には外部から空気を取り入れる吸気口９０１が設けられている。上ケース２０５の裏面側（回転清掃体収納室１０２）には、吸気口９０１と連通する第一の連通路９０２が形成されている。プーリ８０３の上方にはプーリ収納部６０６に連通する複数の通風孔９０３が設けられている。プーリ収納部６０６は下ケース２０６で形成され、複数の通風孔９０３は下ケース２０６の上面部に形成されている。複数の通風孔９０３は第一の連通路９０２のプーリ収納部６０６側に形成され、第一の連通路９０２の空気流れの出口となっている。
【００２８】
プーリ収納部６０６と回転清掃体収納室１０２との間には、プーリ収納部６０６と回転清掃体収納室１０２側とを連通する第二の連通路９０４が形成されている。本実施例では軸受６０４の保持部６０４ｂに第二の連通路９０４が形成されている。第二の連通路９０４はプーリ８０３の最外周径より外側に位置させて設けられている。これにより、空気の流れを阻害することがなく、空気をスムーズに流すことができる。
【００２９】
以上の構成において、電動送風機が運転を始めると吸込力が発生し、吸口体３０１内が負圧となり、吸口体３０１の開口部１０１から空気が吸い込まれ、回転清掃体収納室１０２、自在継手７０１へと空気が流れる。吸気口９０１と回転清掃体収納室１０２とは、第一の連通路９０２及び第二の連通路９０４を介して連通しているので、吸気口９０１から空気が吸い込まれる。吸気口９０１から吸い込まれた空気は、矢印９０５に示すのように、第一の連通路９０２を通り、複数の通風孔９０３からプーリ収納部６０６に流入する。複数の通風孔９０３から吐出された空気はプーリ収納部６０６に配置されたポリスライダワッシャ６０５（６０５ａ，６０５ｂ，６０５ｃ）と、オイルメタル６０３ａ，オイルメタル６０４ａ，金属軸６０１を冷却する。そして、これらを冷却した空気は、矢印９０６に示すように、第二の連通路９０４を通り、回転清掃体収納室１０２へと流れる。吸気口９０１は吸口本体２００の上面に設けられ、被掃除面から離れた位置に設けられているので、吸口体３０１と移動させて被掃除面から舞い上がった塵埃を吸い込むことを抑制できる。このため、本実施例では塵埃の含有が少ない吸口本体２００上方の空気によって軸受への塵埃の進入を抑制しつつ、プーリ収納部６０６に収納された軸受を冷却することができる。
【００３０】
また、本実施例では第二の連通路９０４を介してプーリ収納部６０６から回転清掃体収納室１０２へと空気が流れるので、吸口体３０１の開口部１０１から空気と共に吸い込まれた塵埃が軸受側に搬送されるのを抑制することができ、軸受への塵埃の進入を抑制することができる。
【図面の簡単な説明】
【００３１】
【図１】本発明の一実施例に係る吸口体３０１の外観斜視図及び部分拡大図である。
【図２】本発明の一実施例に係る吸口体３０１の底面斜視図である。
【図３】主動継手２０２と従動継手２０３の関係を示す図である。
【図４】本発明の一実施例に係る吸口体３０１の分解斜視図である。
【図５】本発明の一実施例に係る吸口体３０１の底面斜視図及び部分拡大図である。
【図６】本発明の一実施例に係る駆動力伝達機構部６００の斜視図である。
【図７】図６のＡ−Ａ断面図である。
【図８】本発明の一実施例に係る電気掃除機の全体外観図である。
【符号の説明】
【００３２】
１０１  開口部
１０２  回転清掃体収納室
２００  吸口本体
２０１  回転清掃体
２０２  主動継手
２０３  従動継手
２０４  清掃体軸受
２０５  上ケース
２０６  下ケース
３０１  吸口体
６０３，６０４  軸受
６０６  プーリ収納部
８０３  プーリ
９０１  吸気口
９０２  第一の連通路
９０３  複数の通風孔
９０４  第二の連通路
【図１】
0005039459.tif 000002
【図２】
0005039459.tif 000003
【図３】
0005039459.tif 000004
【図４】
0005039459.tif 000005
【図５】
0005039459.tif 000006
【図６】
0005039459.tif 000007
【図７】
0005039459.tif 000008
【図８】
0005039459.tif 000009